(57)【特許請求の範囲】
【請求項１】
放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するプラズマディスプレイパネルと、
前記スキャン電極に接続する複数の出力端子にシフトして印加する放電制御タイミング信号により、書き込み動作を行なうためのパネル駆動電圧を前記スキャン電極に順番に供給する複数個のスキャン電極駆動用ＩＣと、
前記放電制御タイミング信号を前記スキャン電極駆動用ＩＣに出力する制御信号発生回路とを備え、
複数個のスキャン電極駆動用ＩＣのうち前記プラズマディスプレイパネルの鉛直方向の上部に配列されるスキャン電極駆動用ＩＣは、前記スキャン電極駆動用ＩＣが保有する出力端子の本数に比べて前記スキャン電極に接続する出力端子の本数が少なく、かつ鉛直方向の上部以外に配列されるスキャン電極駆動用ＩＣの出力端子が前記スキャン電極に接続する本数より少なく、
また前記スキャン電極に接続する出力端子の本数に１を加えた順番の出力端子の出力を前記制御信号発生回路に入力し、前記制御信号発生回路は次のスキャン電極駆動用ＩＣに放電制御タイミング信号を出力することを特徴とするプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
【発明が解決しようとする課題】
本発明はこのようなプラズマディスプレイ装置において、スキャン電極にアドレス放電および維持放電を行なうためのパネル駆動電圧波形を供給するためのスキャン電極駆動用ＩＣの自己発熱量を軽減し、安定動作させることを目的とするものである。
【０００６】
【課題を解決するための手段】
上記目的を達成するために本発明のプラズマディスプレイ装置は、放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するプラズマディスプレイパネルを構成し、このプラズマディスプレイパネルの前記スキャン電極を所定の本数を１単位として複数のブロックに分割するとともに、そのスキャン電極の各ブロックにアドレス放電および維持放電を行なうためのパネル駆動電圧波形を供給するための複数個のスキャン電極駆動用ＩＣを接続し、かつパネルの上部側に位置するスキャン電極駆動用ＩＣは、そのスキャン電極駆動用ＩＣが保有する出力端子の本数に比べて、スキャン電極に接続する出力端子の本数を少なくすることにより、スキャン電極駆動用ＩＣの駆動負荷を軽減し自己発熱量を抑制するものである。
【０００７】
【発明の実施の形態】
すなわち、本発明の請求項１記載の発明は、放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するプラズマディスプレイパネルを構成し、このプラズマディスプレイパネルの前記スキャン電極を所定の本数を１単位として複数のブロックに分割するとともに、そのスキャン電極の各ブロックにアドレス放電および維持放電を行なうためのパネル駆動電圧波形を供給するための複数個のスキャン電極駆動用ＩＣを接続し、かつパネルの上部側に位置するスキャン電極駆動用ＩＣは、そのスキャン電極駆動用ＩＣが保有する出力端子の本数に比べて、スキャン電極に接続する出力端子の本数を少なくしたものである。
【０００８】
また、本発明の請求項２に記載の発明は、複数のスキャン電極駆動用ＩＣは、パネルの下部側に位置するスキャン電極駆動用ＩＣから順に、そのスキャン電極駆動用ＩＣの出力端子をすべてスキャン電極に接続することによって、パネルの上部側に位置するスキャン電極駆動用ＩＣのスキャン電極に接続する本数の方を少なくしたものである。
【０００９】
さらに、本発明の請求項３に記載の発明は、放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するプラズマディスプレイパネルを構成し、このプラズマディスプレイパネルの前記スキャン電極を所定の本数を１単位として複数のブロックに分割するとともに、そのスキャン電極の各ブロックにアドレス放電および維持放電を行なうためのパネル駆動電圧波形を供給するための複数個のスキャン電極駆動用ＩＣを接続し、かつパネルの最上部に位置するスキャン電極駆動用ＩＣに入力する出力タイミング制御パルスを、パネルの第１スキャン電極のアドレス放電が始まる前に印加するように構成したものである。
【００１０】
また、本発明の請求項４に記載の発明は、放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するプラズマディスプレイパネルを構成し、このプラズマディスプレイパネルの前記スキャン電極を所定の本数を１単位として複数のブロックに分割するとともに、そのスキャン電極の各ブロックにアドレス放電および維持放電を行なうためのパネル駆動電圧波形を供給するための複数個のスキャン電極駆動用ＩＣを接続し、かつパネルの上部側に位置するスキャン電極駆動用ＩＣが出力するパネル駆動電圧波形のうちの１つを抵抗器により振幅変換して、次のスキャン電極駆動用ＩＣの制御信号とするように構成したものである。さらに、前記抵抗器により、振幅および極性変換するように構成してもよい。
【００１１】
以下、本発明の一実施の形態によるプラズマディスプレイ装置について、図１〜図８を用いて説明するが、本発明の実施の態様はこれに限定されるものではない。
【００１２】
まず、プラズマディスプレイ装置におけるプラズマディスプレイパネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１３】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１４】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１５】
図２にこのプラズマディスプレイパネルの電極配列を示しており、図２に示すようにスキャン電極およびサステイン電極とアドレス電極とは、Ｍ行×Ｎ列のマトリックス構成であり、行方向には複数のＭ行のスキャン電極ＳＣＮ1〜ＳＣＮMおよびこれに平行に配置されるサステイン電極ＳＵＳ1〜ＳＵＳMが配列され、列方向にはスキャン電極ＳＣＮ1〜ＳＣＮMおよびサステイン電極ＳＵＳ1〜ＳＵＳMと交差するように複数のＮ列のアドレス電極Ｄ1〜ＤNが配列されている。
【００１６】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１７】
また、プラズマディスプレイ装置の階調表示駆動方式としては、一般にアドレス・表示期間分離方式が用いられている。この方式では、１フィールドを複数のサブフィールドに時間的に分割する。例えば、８ビットで２５６階調表示を行う場合は、１フィールドを８つのサブフィールドに分割する。また、各サブフィールドは、点灯セル選択のためのアドレス放電が行われるアドレス期間と、表示のための維持放電が行われる維持期間（表示放電期間）とに分離される。
【００１８】
この方式では、各サブフィールドで第１ラインから第ｍラインまでＰＤＰの全面にアドレス放電による走査が行われ、全面アドレス放電終了時に維持放電が行われる。
【００１９】
図３に、本実施の形態におけるプラズマディスプレイ装置の表示駆動回路の構成を示している。図３に示すように、図１に示す構成のプラズマディスプレイパネル（ＰＤＰ）１０、アドレスドライバ回路１１、スキャンドライバ回路１２、サステインドライバ回路１３、放電制御タイミング発生回路１４、電源回路１５，１６、Ａ／Ｄコンバータ（アナログ・デジタル変換器）１７、走査数変換部１８、及びサブフィールド変換部１９を備えている。
【００２０】
図３の回路において、まず、映像信号ＶＤは、Ａ／Ｄコンバータ１７に入力される。また、水平同期信号Ｈ及び垂直同期信号Ｖは放電制御タイミング発生回路１４、Ａ／Ｄコンバータ１７、走査数変換部１８、サブフィールド変換部１９に与えられる。Ａ／Ｄコンバータ１７は、映像信号ＶＤをデジタル信号に変換し、その画像データを走査数変換部１８に与える。
【００２１】
走査数変換部１８は、画像データをＰＤＰ１０の画素数に応じたライン数の画像データに変換し、各ラインごとの画像データをサブフィールド変換部１９に与える。サブフィールド変換部１９は、各ラインごとの画像データの各画素データを複数のサブフィールドに対応する複数のビットに分割し、各サブフィールドごとに各画素データの各ビットをアドレスドライバ回路１１にシリアルに出力する。アドレスドライバ回路１１は、電源回路１５に接続されており、サブフィールド変換部１９から各サブフィールドごとにシリアルに与えられるデータをパラレルデータに変換し、そのパラレルデータに基づいて複数のアドレス電極に電圧を供給する。
【００２２】
放電制御タイミング発生回路１４は、水平同期信号Ｈおよび垂直同期信号Ｖを基準として、放電制御タイミング信号ＳＣ、ＳＵを発生し、各々スキャンドライバ回路１２およびサステインドライバ回路１３に与える。スキャンドライバ回路１２は、出力回路１２１及びシフトレジスタ１２２を有する。また、サステインドライバ回路１３は、出力回路１３１及びシフトレジスタ１３２を有する。これらのスキャンドライバ回路１２及びサステインドライバ回路１３は共通の電源回路１６に接続されている。
【００２３】
スキャンドライバ回路１２のシフトレジスタ１２２は、放電制御タイミング発生回路１４から与えられる放電制御タイミング信号ＳＣを垂直走査方向にシフトしつつ出力回路１２１に与える。出力回路１２１は、シフトレジスタ１２２から与えられる放電制御タイミング信号ＳＣに応答して複数のスキャン電極に順に駆動信号電圧を供給する。
【００２４】
サステインドライバ回路１３のシフトレジスタ１３２は、放電制御タイミング発生回路１４から与えられる放電制御タイミング信号ＳＵを垂直走査方向にシフトしつつ出力回路１３１に与える。出力回路１３１は、シフトレジスタ１３２から与えられる放電制御タイミング信号ＳＵに応答して複数のサステイン電極に順に駆動信号電圧を供給する。
【００２５】
図４にこのプラズマディスプレイ装置の表示駆動回路のタイミングチャートの一例を示しており、図４に示すように、書き込み期間では、全てのサステイン電極ＳＵＳ1〜ＳＵＳMを０（Ｖ）に保持した後に、第１行目の表示する放電セルに対応する所定のアドレス電極Ｄ1〜ＤNに正の書き込みパルス電圧＋Ｖｗ（Ｖ）を、第１行目のスキャン電極ＳＣＮ1に負のスキャンパルス電圧−Ｖｓ（Ｖ）をそれぞれに印加すると、所定のアドレス電極Ｄ1〜ＤNと第１行目のスキャン電極ＳＣＮ1との交点部において、アドレス放電が起こる。
【００２６】
次に、第２行目の表示する放電セルに対応する所定のアドレス電極Ｄ1〜ＤNに正の書き込みパルス電圧＋Ｖｗ（Ｖ）を、第２行目のスキャン電極ＳＣＮ2に負のスキャンパルス電圧−Ｖｓ（Ｖ）をそれぞれに印加すると、所定のアドレス電極Ｄ1〜ＤNと第２行目のスキャン電極ＳＣＮ2との交点部においてアドレス放電が起こる。
【００２７】
上記同様の動作が順次に行われて、最後に第Ｍ行目の表示する放電セルに対応する所定のアドレス電極Ｄ1〜ＤNに正の書き込みパルス電圧＋Ｖｗ（Ｖ）を、第Ｍ行目のスキャン電極ＳＣＮMに負のスキャンパルス電圧−Ｖｓ（Ｖ）をそれぞれに印加すると、所定のアドレス電極Ｄ1〜ＤNと第Ｍ行目のスキャン電極ＳＣＮMとの交点部においてアドレス放電が起こる。
【００２８】
次の維持期間では、全てのスキャン電極ＳＣＮ1〜ＳＣＮMを一旦０（Ｖ）に保持すると共に、全てのサステイン電極ＳＵＳ1〜ＳＵＳMに負の維持パルス電圧−Ｖｍ（Ｖ）を印加すると、アドレス放電を起こした前記交点部におけるスキャン電極ＳＣＮ1〜ＳＣＮMとサステイン電極ＳＵＳ1〜ＳＵＳMとの間に維持放電が起こる。次に全てのスキャン電極ＳＣＮ1〜ＳＣＮMと全てのサステイン電極ＳＵＳ1〜ＳＵＳMとに負の維持パルス電圧−Ｖｍ（Ｖ）を交互に印加することにより、表示する放電セルにおいて維持放電が継続して起こる。この維持放電の発光によりパネル表示が行われる。
【００２９】
次の消去期間において、全てのスキャン電極ＳＣＮ1〜ＳＣＮMを一旦０（Ｖ）に保持すると共に、全てのサステイン電極ＳＵＳ1〜ＳＵＳMに消去パルス電圧−Ｖｅ（Ｖ）を印加すると、消去放電を起こして放電が停止する。
【００３０】
以上の動作により、プラズマディスプレイ装置において、一画面が表示される。
【００３１】
ところで、このようなプラズマディスプレイ装置においては、装置内で発した熱はパネルの上部に流れるため、スキャンドライバ回路を構成するスキャン電極駆動用ＩＣのうち、パネルの上部側に位置するスキャン電極駆動用ＩＣほど周囲温度が上昇し、温度動作条件が厳しくなる。そのため、スキャン電極駆動用ＩＣを使用するための放熱構造や、使用電圧、パルス印加回数は、全てパネルの上部側に位置するスキャン電極駆動用ＩＣの周囲温度と自己発熱量により制限されてしまうという課題があった。
【００３２】
本発明はこのような課題を解決するものであり、以下その具体的な実施の形態について説明する。
【００３３】
先にも記した通り、スキャンドライバ回路１２のシフトレジスタ１２２は、放電制御タイミング発生回路１４から与えられる放電制御タイミング信号ＳＣを垂直走査方向にシフトしつつ出力回路１２１に与え、出力回路１２１は、シフトレジスタ１２２から与えられる放電制御タイミング信号ＳＣに応答して複数のスキャン電極に順に駆動信号電圧を供給する。
【００３４】
現在のプラズマディスプレイ装置では、これらの一連の動作を行なうスキャン電極駆動用ＩＣを複数個用いるのが一般的であり、用いられているスキャン電極駆動用ＩＣの出力ピン数は６４本が主流である。
【００３５】
すなわち、このプラズマディスプレイパネルのスキャン電極を所定の本数を１単位として複数のブロックに分割するとともに、そのスキャン電極の各ブロックにアドレス放電および維持放電を行なうためのパネル駆動電圧波形を供給するための複数個のスキャン電極駆動用ＩＣを接続している。例えば走査線数４８０本の装置においては上下２分割駆動をした場合には８個のスキャン電極駆動用ＩＣが使用される。ここで言う上下２分割駆動とは、パネル上下にそれぞれデータ電極があり、書き込み期間中の動作を同時に独立して行なう駆動方法である。
【００３６】
したがって、パネル上半分を受け持つスキャン電極駆動用ＩＣは４個であり、その中で一番下に位置するスキャン電極駆動用ＩＣは、（４８０本／２分割）−（ＩＣ３個×６４本）＝４８本がスキャン電極に接続されている。つまり、一番下に位置するスキャン電極駆動用ＩＣは他のスキャン電極駆動用ＩＣに比べ１６本分負荷のない状態である。パネルの下半分を受け持つスキャン電極駆動用ＩＣ群についても同様である。
【００３７】
本発明では、装置内で発生した熱は上部に流れていき周囲温度は上に位置するほど高くなるので、パネルの上部側に位置するスキャン電極駆動用ＩＣに、この負荷の無い１６本分を割り振り、自己発熱を押さえるように構成している。すなわち、パネルの上部側に位置するスキャン電極駆動用ＩＣは、そのスキャン電極駆動用ＩＣが保有する出力端子の本数に比べて、スキャン電極に接続する出力端子の本数を少なくしたものである。
【００３８】
図５は、本発明の一実施の形態において、図３に示す表示駆動回路におけるスキャンドライバ回路部分の要部回路の構成を示す図であり、以下図５を用いて説明する。
【００３９】
図５において、２０はパネル、２１〜２４はスキャン電極駆動用ＩＣ、２５〜２７は制御信号発生回路であり、スキャン電極駆動用ＩＣ２１，２２，２３において、パネル２０の上部側に位置するスキャン電極駆動用ＩＣが、スキャン電極駆動用ＩＣ２１，２２，２３の保有する出力端子の本数に比べて、スキャン電極に接続する出力端子の本数を少なくしている。また、スキャン電極駆動用ＩＣ２１，２２，２３，２４は、従来同様、放電制御タイミング信号ＳＣを垂直走査方向にシフトしつつ駆動パルスを出力している。
【００４０】
すなわち、スキャン電極駆動用ＩＣ２１内部で放電制御タイミング信号ＳＣは６４本分シフトされた後、次のスキャン電極駆動用ＩＣ２２に受け渡しされる。従来は、スキャン電極駆動用ＩＣ２１のＳＣ出力端子から次のスキャン電極駆動用ＩＣ２２の入力端子へと受け渡していたが、本発明では、スキャン電極駆動用ＩＣ２１，２２，２３において、スキャン電極に接続されている本数に１を加えた順番の出力端子の出力を入力とする制御信号発生回路２５，２６，２７にて振幅変換して次の放電制御タイミング信号ＳＣとして入力している。
【００４１】
このようにスキャン電極駆動用ＩＣ２１，２２，２３，２４間にそれぞれ制御信号発生回路２５，２６，２７を接続することにより、各ＩＣの負荷を任意に軽減することができ、上部に位置するスキャン電極駆動用ＩＣの周囲温度と自己発熱による温度と下方に位置するスキャン電極駆動用ＩＣの周囲温度と自己発熱による温度を近づけることができる。
【００４２】
また、図６に本発明の他の実施の形態による例を示している。なお、この図６の例では、上下２分割駆動のときの上半分のＩＣ群を示している。
【００４３】
上記例と同様に、スキャン電極駆動用ＩＣ２１には、放電制御タイミング発生回路１４から放電制御タイミング信号ＳＣを入力し、全てのスキャン電極駆動用ＩＣ２１，２２，２３，２４には各出力端子ピンから出力されるタイミングを決めるクロック信号ＣＬＫ、及び出力のＬｏｗ期間を決める信号ＣＬが入力される。
【００４４】
この図６に示す例では、パネル２０の下部側に位置するスキャン電極駆動用ＩＣ２４から順にスキャン電極に出力端子を接続する。これにより、走査線数４８０本のパネル２０であった場合に、パネル２０の最上部に位置するスキャン電極駆動用ＩＣ２１は、｛６４本−（４８０本／２分割）−（ＩＣ３個×６４本）｝＝１６本分がスキャン電極と接続されず、無負荷となる。
【００４５】
この図６の例によれば、制御信号発生回路２８を１つ追加するだけで、最上部のスキャン電極駆動用ＩＣ２１において、自己発熱を１５℃以上軽減する効果が得られた。
【００４６】
図７は制御信号発生回路の例を示す説明図であり、図７において、放電制御タイミング発生回路１４からの放電制御タイミング信号ＳＣとスキャン電極駆動用ＩＣ２１の出力とのパルス極性が同じであれば、抵抗２９，３０の２つによる抵抗分割にて制御信号の振幅を小さく設定し、スキャン電極駆動用ＩＣ２２の放電制御タイミングパルスＳＣとして入力するように構成する。
【００４７】
一方、パルス極性が異なる場合には、トランジスタ３１および抵抗３２，３３，３４を用いた簡単なスイッチング回路により極性反転して次のスキャン電極駆動用ＩＣ２２の放電制御タイミングパルスＳＣとして入力するように構成すればよく、簡単な構成の回路で、パネルの上部側に位置するスキャン電極駆動用ＩＣのスキャン電極に接続する出力端子の本数を少なくすることができる。
【００４８】
次に、本発明の他の実施の形態によるプラズマディスプレイ装置について、図８を用いて説明する。
【００４９】
まず、パネルの上部に位置するスキャン電極駆動用ＩＣには放電制御タイミング発生回路１４から放電制御タイミング信号ＳＣを入力し、全てのスキャン電極駆動用ＩＣには、各出力ピンから出力されるタイミングを決めるＣＬＫ、及び出力のＬｏｗ期間を決めるＣＬを入力する。そして、パネル上部の第１番目のスキャン電極駆動用ＩＣ内部で放電制御タイミング信号ＳＣを垂直走査方向に６４本分シフトした後、放電制御タイミング信号ＳＣが次のスキャン電極駆動用ＩＣに入力される。その後同様にして次のスキャン電極駆動用ＩＣに放電制御タイミング信号ＳＣが入力されるように、スキャン電極駆動用ＩＣを接続する。
【００５０】
そして、本実施の形態では、図８に示すように、パネルの最上部に位置するスキャン電極駆動用ＩＣに入力する放電制御タイミング信号ＳＣおよびＣＬＫ信号を、パネルの第１スキャン電極駆動波形のスキャンパルス印加時間よりも前から印加する。仮に、スキャン電極駆動用ＩＣの負荷を１６本分軽減したい場合には、図８に示すようにＣＬＫ信号をスキャンパルス印加時間×１６本の時間早く入力するように構成する。
【００５１】
これにより、スキャン電極駆動用ＩＣ内部では１６本分の出力データがシフトされ、１７番目の出力データが１７番目にある出力端子から出力されてこの時点から、パネルの第１スキャン電極を駆動するため、パネル上部のスキャン電極駆動用ＩＣの１６番目までの出力を無負荷状態に設定したこととなり、その後に続くスキャン電極群の配線および構成を変えることなく、パネル上部のスキャン電極駆動用ＩＣの出力を無負荷状態に設定したこととなり、負荷を少なくすることができる。
【００５２】
このように、パネルの最上部に位置するスキャン電極駆動用ＩＣに入力する放電制御タイミング信号ＳＣおよびＣＬＫ信号の出力タイミング制御パルスを、パネルの第１スキャン電極のアドレス放電が始まる前に印加することにより、パネル上部のスキャン電極駆動用ＩＣの出力端子の一部（図８の例では、１６本分）をパネルのスキャン電極と接続しないように配線しておけば、回路を追加することなく、パネル上部に位置するスキャン電極駆動用ＩＣの負荷を軽くすることができる。
【００５３】
【発明の効果】
以上の説明から明らかなように、本発明によるプラズマディスプレイ装置によれば、装置の構造が要因となって周囲温度が上昇しやすいパネル上部のスキャン電極駆動用ＩＣの負荷を軽減し、自己発熱量を抑制することができ、これによってスキャン電極駆動用ＩＣに安定した動作を行なわせることができるという効果が得られる。
【図面の簡単な説明】
【図１】本発明の一実施の形態によるプラズマディスプレイ装置のパネルの概略構成を示す斜視図
【図２】同プラズマディスプレイ装置のパネルの電極配列を示す説明図
【図３】同プラズマディスプレイ装置の表示駆動回路の一例を示すブロック回路図
【図４】同プラズマディスプレイ装置の駆動方法の一例を示す信号波形図
【図５】同プラズマディスプレイ装置の表示駆動回路の要部回路構成を示す概略図
【図６】同プラズマディスプレイ装置の他の実施の形態による表示駆動回路の要部回路構成を示す概略図
【図７】同プラズマディスプレイ装置の他の実施の形態による表示駆動回路の要部回路構成を示す説明図
【図８】同プラズマディスプレイ装置の他の実施の形態による表示駆動回路の要部回路の動作を説明するための波形図
【符号の説明】
１，５  基板
２  表示電極
７  アドレス電極
２０  パネル
２１，２２，２３，２４  スキャン電極駆動用ＩＣ
２５，２６，２７，２８  制御信号発生回路
２９，３０，３２，３３，３４  抵抗
【図１】
0005011615.tif 000002
【図２】
0005011615.tif 000003
【図３】
0005011615.tif 000004
【図４】
0005011615.tif 000005
【図５】
0005011615.tif 000006
【図６】
0005011615.tif 000007
【図７】
0005011615.tif 000008
【図８】
0005011615.tif 000009